(57)【要約】【課題】フラット回路体の接続作業を容易にすることができるフラット回路体用コネクタを提供すること。【解決手段】係止部材２０によって回路体端部５２をコネクタ本体部１０内に係止するフラット回路体用コネクタ１において、コネクタ本体部１０は、係止部材２０が当該コネクタ本体部１０に組み付けられた状態で、係止部材２０の移動をガイドするガイド面１６を含むガイド部１５を有し、係止部材２０は、ガイド面１６に弾性力を利用して付勢されることによって、下方に移動する力を受ける被ガイド部２１と、被ガイド部２１がガイド面１６にガイドされながら回路体端部５２の挿入可能位置まで係止部材２０を上方に移動させるために回路体端部５２が摺接される摺接面２３と、を有し、被ガイド部２１が下方に移動する力を受けることによって、係止部材２０が上方の挿入可能位置に移動されてから回路体端部５２を係止するように下方に自動で移動される。【選択図】図８
2015015079.tif 000002
【特許請求の範囲】
【請求項１】
フラット回路体の端部である回路体端部がコネクタ本体部内に挿入されることによってフラット回路体に接続するとともに、係止部材によって前記回路体端部を前記コネクタ本体部内に係止するフラット回路体用コネクタにおいて、
前記コネクタ本体部は、
前記係止部材が当該コネクタ本体部に組み付けられた状態で、前記回路体端部が前記コネクタ本体部内に挿入されてから前記コネクタ本体部内に係止されまでの前記係止部材の移動をガイドするガイド面を含むガイド部を有し、
前記係止部材は、
前記ガイド面に弾性力を利用して付勢されることによって、前記回路体端部を上方から係止するため下方に移動する力を受ける被ガイド部と、
前記被ガイド部が前記ガイド面にガイドされながら前記回路体端部の挿入可能位置まで当該係止部材を上方に移動させるために前記回路体端部が摺接される摺接面と、
を有し、
前記回路体端部が前記コネクタ本体部内に挿入された場合、前記被ガイド部が前記回路体端部を上方から係止するため下方に移動する力を受けることによって、前記係止部材が上方の前記挿入可能位置に移動されてから前記回路体端部を係止するように下方に自動で移動される
ことを特徴とするフラット回路体用コネクタ。
【請求項２】
前記ガイド面は、
前記係止部材を間にして上下方向延びる第一ガイド面および第二ガイド面を有し、
前記第一ガイド面は、
下方から上方に向けて鉛直方向に対して上り傾斜状に第一ガイド傾斜面が形成されており、
前記第二ガイド面は、
下方から上方に向けて鉛直方向に対して上り傾斜状に第二ガイド傾斜面が形成されており、
前記被ガイド部は、
自由端側を前記係止部材の内側に向けて弾性的に撓み変形可能に設けられ、かつ前記第一ガイド傾斜面と、前記第二ガイド傾斜面とのそれぞれに付勢される一対の弾性アーム部を有する
ことを特徴とする請求項１に記載のフラット回路体用コネクタ。
【請求項３】
前記ガイド面は、
前記第一ガイド傾斜面と前記第二ガイド傾斜面とは上下方向で形成領域が重ならないように上段領域と下段領域との２段に分けて設けられ、前記第一ガイド傾斜面と前記第二ガイド傾斜面が上下方向で形成領域が重なる場合に比して、前記第一ガイド傾斜面および前記第二ガイド傾斜面の傾斜角度が大きくなるように調整されている
ことを特徴とする請求項２に記載のフラット回路体用コネクタ。
【請求項４】
前記係止部材は、
前記回路体端部の幅方向を長手方向とする断面外形長方形状をなし、長手方向両端側にそれぞれ設けられた一対の前記被ガイド部を有し、
前記コネクタ本体部は、
前記一対の被ガイド部に対応して一対のガイド部を有する
ことを特徴とする請求項１、２または３に記載のフラット回路体用コネクタ。
【請求項５】
前記摺接面は
前記回路体端部に形成された係止孔に嵌め込まれることによって前記フラット回路体を係止するように前記係止部材の下面に突設された係止突起部に形成されていることを特徴とする請求項１、２、３、または４に記載のフラット回路体用コネクタ。
【発明の詳細な説明】
【技術分野】
【０００１】
本発明は、係止部材によってフラット回路体の回路体端部をコネクタ本体部内に係止するフラット回路体用コネクタに関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）あるいはフレキシブルフラットケーブル等のフラット回路体がコネクタ接続される場合、フラット回路体用コネクタが用いられる。例えば、特許文献１には、フラット回路体の回路端部がコネクタ本体部内に挿入されることによってフラット回路体に接続するとともに、係止部材によって回路端部をコネクタ本体部内に係止するフラット回路体用コネクタが記載されている。
【先行技術文献】
【特許文献】
【０００３】
【特許文献１】特開２０１２−８４５０１号公報
【発明の概要】
【発明が解決しようとする課題】
【０００４】
しかしながら、特許文献１に記載されたフラット回路体用コネクタは、コネクタ本体部と、係止部材とが別体に構成され、フラット回路体をフラット回路体用コネクタに接続する場合、フラット回路体をコネクタ本体部に挿入した後、係止部材をコネクタ本体部に取り付けなければならないため、作業が煩雑になるという問題があった。
【０００５】
本発明は、上記に鑑みてなされたものであって、フラット回路体の接続作業を容易にすることができるフラット回路体用コネクタを提供することを目的とする。
【課題を解決するための手段】
【０００６】
上述した課題を解決し、目的を達成するために、本発明の請求項１に係るフラット回路体用コネクタは、フラット回路体の端部である回路体端部がコネクタ本体部内に挿入されることによってフラット回路体に接続するとともに、係止部材によって前記回路体端部を前記コネクタ本体部内に係止するフラット回路体用コネクタにおいて、前記コネクタ本体部は、前記係止部材が当該コネクタ本体部に組み付けられた状態で、前記回路体端部が前記コネクタ本体部内に挿入されてから前記コネクタ本体部内に係止されまでの前記係止部材の移動をガイドするガイド面を含むガイド部を有し、前記係止部材は、前記ガイド面に弾性力を利用して付勢されることによって、前記回路体端部を上方から係止するため下方に移動する力を受ける被ガイド部と、前記被ガイド部が前記ガイド面にガイドされながら前記回路体端部の挿入可能位置まで当該係止部材を上方に移動させるために前記回路体端部が摺接される摺接面と、を有し、前記回路体端部が前記コネクタ本体部内に挿入された場合、前記被ガイド部が前記回路体端部を上方から係止するため下方に移動する力を受けることによって、前記係止部材が上方の前記挿入可能位置に移動されてから前記回路体端部を係止するように自動で下方に移動されることを特徴とする。
【０００７】
また、本発明の請求項２に係るフラット回路体用コネクタは、上記の発明において、前記ガイド面は、前記係止部材を間にして上下方向延びる第一ガイド面および第二ガイド面を有し、前記第一ガイド面は、下方から上方に向けて鉛直方向に対して上り傾斜状に第一ガイド傾斜面が形成されており、前記第二ガイド面は、下方から上方に向けて鉛直方向に対して上り傾斜状に第二ガイド傾斜面が形成されており、前記被ガイド部は、自由端側を前記係止部材の内側に向けて弾性的に撓み変形可能に設けられ、かつ前記第一ガイド傾斜面と、前記第二ガイド傾斜面とのそれぞれに付勢される一対の弾性アーム部を有することを特徴とする。
【０００８】
また、本発明の請求項３に係るフラット回路体用コネクタは、上記の発明において、前記ガイド面は、前記第一ガイド傾斜面と前記第二ガイド傾斜面とは上下方向で形成領域が重ならないように上段領域と下段領域との２段に分けて設けられ、前記第一ガイド傾斜面と前記第二ガイド傾斜面が上下方向で形成領域が重なる場合に比して、前記第一ガイド傾斜面および前記第二ガイド傾斜面の傾斜角度が大きくなるように調整されていることを特徴とする。
【０００９】
また、本発明の請求項４に係るフラット回路体用コネクタは、上記の発明において、前記係止部材は、前記回路体端部の幅方向を長手方向とする断面外形長方形状をなし、長手方向両端側にそれぞれ設けられた一対の前記被ガイド部を有し、前記コネクタ本体部は、前記一対の被ガイド部に対応して一対のガイド部を有することを特徴とする。
【００１０】
また、本発明の請求項５に係るフラット回路体用コネクタは、上記の発明において、前記摺接面は、前記回路体端部に形成された係止孔に嵌め込まれることによって前記フラット回路体を係止するように前記係止部材の下面に突設された係止突起部に形成されていることを特徴とする。
【発明の効果】
【００１１】
本発明の請求項１に係るフラット回路体用コネクタは、前記回路体端部が前記コネクタ本体部内に前記係止部材によって係止される場合、前記コネクタ本体部内に組み付けられた状態の前記係止部材が、前記回路体端部の挿入可能位置に移動されてから前記回路体端部を係止するように自動で下方に移動されるようになっているので、前記フラット回路体を前記コネクタ本体部に挿入した後、前記係止部材を前記コネクタ本体部に取り付ける必要がなく、結果的にフラット回路体の接続作業を容易にすることができる。
【００１２】
本発明の請求項２に係るフラット回路体用コネクタは、前記第一ガイド傾斜面、前記第二ガイド傾斜面、および前記弾性アーム部という簡易な構成で前記回路体端部を係止するように前記係止部材を自動で下方に移動させる力を得ることができる。
【００１３】
本発明の請求項３に係るフラット回路体用コネクタは、前記第一ガイド傾斜面の傾斜角度、および前記第二ガイド傾斜面の傾斜角度を大きくすることができるので、前記弾性アーム部と前記第一ガイド傾斜面、あるいは前記第二ガイド傾斜面との間の摩擦抵抗が大きい場合であっても、前記回路体端部の挿入可能位置に移動されてから前記回路体端部を係止するまで前記係止部材を自動で下方に移動させることができるので、前記係止部材によって前記フラット回路体を確実に係止することができる。
【００１４】
本発明の請求項４に係るフラット回路体用コネクタは、前記係止部材の長手方向両端側に設けられた一対の前記被ガイド部と、前記一対の被ガイド部に対応して設けられた一対のガイド部とによって前記係止部材が下方に移動されるようにガイドされるので、前記係止部材を安定的に移動させることができる。
【００１５】
本発明の請求項５に係るフラット回路体用コネクタは、前記係止突起部を利用して前記摺接面を設けることができるため、簡易な構成にすることができる。
【図面の簡単な説明】
【００１６】
【図１】図１は、発明の実施例１に係るフラット回路体用コネクタの斜視図である。
【図２】図２は、図１に示したフラット回路体用コネクタの分解斜視図である。
【図３】図３は、図１のフラット回路体用コネクタの上面図である。
【図４】図４は、（ａ）がフラット回路体が接続される途中のフラット回路体用コネクタの上面図であり、（ｂ）が（ａ）のＣ−Ｃ線断面図である。
【図５】図５は、（ａ）がコネクタ本体部の斜視図であり、（ｂ）がコネクタ本体部の上面図である。
【図６】図６は、（ａ）が図５（ｂ）に示したコネクタ本体部のＤ−Ｄ線断面図であり、（ｂ）が図５（ｂ）に示したコネクタ本体部のＥ−Ｅ線断面図である。
【図７】図７は、図２に示した係止部材の拡大斜視図である。
【図８】図８は、フラット回路体がコネクタ本体部内に挿入されてからコネクタ本体部内に係止されるまでの係止部材の動作を示した図である。
【図９】図９は、係止部材による係止が解除され、フラット回路体がコネクタ本体部から外される場合の係止部材の動作を示した図である。
【図１０】図１０は、発明の実施例２に係るフラット回路体用コネクタの上面図である。
【図１１】図１１は、図１０に示したフラット回路体用コネクタのＧ−Ｇ線断面図である。
【図１２】図１２は、コネクタ本体部の上面図である。
【図１３】図１３は、図１２に示したコネクタ本体部のＨ−Ｈ線断面図である。
【図１４】図１４は、傾斜角度θと、摩擦係数μと、弾性アーム部に作用される力Ｆとを直交軸に表したグラフである。
【図１５】図１５は、弾性アーム部に作用される力をベクトルで示した図であり、（ａ）がガイド面の傾斜角度θが小さい場合を示し、（ｂ）がガイド面の傾斜角度θが大きい場合を示している。
【図１６】図１６は、横軸に係止部材の移動距離Ｒ、縦軸に弾性アーム部に作用される力Ｆを表したグラフである。
【図１７】図１７は、フラット回路体がコネクタ本体部内に挿入されてからコネクタ本体部内に係止されるまでの係止部材の動作を示した図である。
【発明を実施するための形態】
【００１７】
以下、図面を参照して、本発明に係るフラット回路体用コネクタの好適な実施例を詳細に説明する。
【実施例１】
【００１８】
図１は、発明の実施例１に係るフラット回路体用コネクタ１の斜視図である。図２は、図１に示したフラット回路体用コネクタ１の分解斜視図である。図３は、図１のフラット回路体用コネクタ１の上面図である。図４は、（ａ）がフラット回路体５０が接続される途中のフラット回路体用コネクタ１の上面図であり、（ｂ）が（ａ）のＣ−Ｃ線断面図である。図５は、（ａ）がコネクタ本体部１０の斜視図であり、（ｂ）がコネクタ本体部１０の上面図である。図６は、（ａ）が図５（ｂ）に示したコネクタ本体部１０のＤ−Ｄ線断面図であり、（ｂ）が図５（ｂ）に示したコネクタ本体部１０のＥ−Ｅ線断面図である。図７は、図２に示した係止部材２０の拡大斜視図である。
なお、本発明の実施例では説明の便宜上、図中に示すように前後、左右及び上下方向を定義する。
本発明の実施例１に係るフラット回路体用コネクタ１は、フレキシブルプリント配線板あるいはフレキシブルフラットケーブル等のフラット回路体５０の端部である回路体端部５２がコネクタ本体部１０内に挿入されることによってフラット回路体５０に接続するとともに、係止部材２０によって回路体端部５２をコネクタ本体部１０内に係止するようになっている。
このフラット回路体用コネクタ１は、内部にフラット回路体５０の不図示の端子に接続される端子が組み込まれたコネクタ本体部１０と、係止部材２０と、を有し、固定金具４２によって取付先となる不図示の基板等に固定されるようになっている。
【００１９】
まず、公知のフラット回路体５０について説明する。
フラット回路体５０は、この実施例１ではフレキシブルプリント配線板を用いている。
このフラット回路体５０は、導電性の金属膜がパターン形成された不図示の回路配線を有し、この不図示の回路配線の両面が絶縁性薄膜フィルム５１によって覆われた平板状可撓性の回路基板である。
このフラット回路体５０の端部である回路体端部５２には不図示の複数の端子が並んで形成され、絶縁性薄膜フィルム５１の一部が除去されて不図示の各端子の接続面が露出されることによって、この不図示の各端子がフラット回路体用コネクタ１の各端子４０に接続されるようになっている。
また、回路体端部５２は、上述した不図示の複数の端子が露出される側の面の裏面に補強板５３が貼り付けられることによって補強されるようになっている。
さらに、回路体端部５２には、係止部材２０の後述する一対の係止突起部２４、２４に係止される係止孔５４、５４が両側部に形成されている。
【００２０】
次に、フラット回路体用コネクタ１について説明する。
まず、コネクタ本体部１０について説明する。
コネクタ本体部１０は、底面を形成する外形長方形状の底壁１１と、底壁１１の左右の両端部に立設された側壁１２、１２と、底壁１１の後端部に立設された後壁１３とを有し、前端面側が回路体端部５２の挿入口となり、上面が係止部材２０を後述する係止部材収容部１４に収容できるような開口になっている。
このコネクタ本体部１０の底面には複数の端子４０がフラット回路体５０の不図示の端子に接続されるように一部が露出された状態で係止され、回路体端部５２が係止部材によって係止される位置には係止部材２０が収容される係止部材収容部１４が設けられている。
【００２１】
係止部材収容部１４は、係止部材２０の移動をガイドするように係止部材２０の後述する一対の被ガイド部２１、２１に対応して左右の両側壁に設けられた一対のガイド部１５、１５と、係止部材収容部１４内に組み付けられた係止部材２０が係止部材収容部１４から離脱されることを防止する抜け防止係止部１７と、係止部材２０の係止部材収容部１４内での設置位置を規制する設置位置規制部１８と、を有する。
【００２２】
各ガイド部１５は、係止部材２０が係止部材収容部１４内に収容されることによってコネクタ本体部１０に組み付けられた状態で、回路体端部５２がコネクタ本体部１０内に挿入されてからコネクタ本体部１０内に係止されまでの係止部材２０の移動をガイドするガイド面１６を含む。
【００２３】
ガイド面１６は、係止部材２０を間にして上下方向に延びる第一ガイド面１６ａおよび第二ガイド面１６ｂを有する。
第一ガイド面１６ａは、下方から上方に向けて鉛直方向に対して上り傾斜状に第一ガイド傾斜面１６ａａが形成されている。
第二ガイド面１６ｂは、下方から上方に向けて鉛直方向に対して上り傾斜状に第二ガイド傾斜面１６ｂｂが形成されている。
なお、第一ガイド傾斜面１６ａａと、第二ガイド傾斜面１６ｂｂとは上下方向で形成領域が重なるように設けられ、後述する被ガイド部２１の各弾性アーム部２２が付勢されるようになっている。
【００２４】
抜け防止係止部１７は、図４（ｂ）に示すように、側壁１２の上部が内側に向けて迫出すように形成された壁である。この抜け防止係止部１７の下面に係止部材２０の後述する抜け防止突起２５が突き当てられることによって係止部材２０が係止部材収容部１４の上部開口から係止部材収容部１４外に抜け出されることが防止されるようになっている。
【００２５】
設置位置規制部１８は、係止部材収容部１４内で後壁１３から前方に向けて板状に突出された壁であり、上面に係止部材２０の下面が突き当てられることによって、係止部材２０の係止部材収容部１４内での設置位置を規制するようになっている。
この設置位置規制部１８の下面前端部には、前方に向けて漸次板厚が減少するように傾斜された回路体誘導面１８ａが形成されている。この回路体誘導面１８ａによって、回路体端部５２が摺接されながら端子４０との接続位置に誘導されるようになっている。
【００２６】
次に、係止部材２０について説明する。
係止部材２０は、ガイド面１６に弾性力を利用して付勢されることによって、回路体端部５２を上方から係止するため、下方に移動する力を受ける一対の被ガイド部２１、２１と、回路体端部５２の挿入可能位置Ｐまで係止部材２０を上方に移動させるため回路体端部５２が摺接される摺接面２３と、回路体端部５２の両側部に形成された各係止孔５４に嵌め込まれることによってフラット回路体５０を係止する一対の係止突起部２４、２４と、係止部材２０がコネクタ本体部１０から離脱されることを防止するため抜け防止係止部１７によって係止される一対の抜け防止突起２５と、を有する。
【００２７】
各被ガイド部２１は、自由端側を係止部材２０の内側に向けて弾性的に撓み変形可能に設けられ、かつ第一ガイド傾斜面１６ａａと、第二ガイド傾斜面１６ｂｂとのそれぞれに付勢される一対の弾性アーム部２２、２２を有する。
各弾性アーム部２２は、先端部に係止部材２０の外側に向けて突起された付勢突起２２ａが設けられている。
この付勢突起２２ａが第一ガイド傾斜面１６ａａあるいは第二ガイド傾斜面１６ｂｂに付勢されることによって、弾性アーム部２２の撓み荷重が第一ガイド傾斜面１６ａａあるいは第二ガイド傾斜面１６ｂｂに負荷されるようになっている。
【００２８】
摺接面２３は、一対の被ガイド部２１、２１が対応する各ガイド面１６、１６にガイドされながら回路体端部５２の挿入可能位置Ｐまで係止部材２０を上方に移動させるために回路体端部５２が摺接される面である。この摺接面２３は、下端から上方に向けて上り傾斜状に傾斜されるように各係止突起部２４の前面に形成されている。
【００２９】
各係止突起部２４は、フラット回路体５０の各係止孔５４の位置に対応した係止部材２０の下面位置に突設された部分である。
各係止突起部２４の後端面は、鉛直方向に延びるようにして形成されている。このため、各係止突起部２４の後端面は、係止突起部２４によって係止状態にあるフラット回路体５０が挿入方向とは逆方向に引っ張られた場合に、係止孔５４の孔内縁面に当接され、係止面２４ａとして機能されるようになっている。
【００３０】
次に、図８を用いて、フラット回路体５０がコネクタ本体部１０内に挿入されてからコネクタ本体部１０内に係止されるまでの係止部材２０の動作について説明する。
図８は、フラット回路体５０がコネクタ本体部１０内に挿入されてからコネクタ本体部１０内に係止されるまでの係止部材２０の動作を示した図である。
なお、図８の図中右側の図はフラット回路体５０およびフラット回路体用コネクタ１の斜視図であり、右図（図８（ａ）、図８（ｂ））に並んで示した２図のうち上図（図８（ａ−１）、図８（ｂ−１））が図３のフラット回路体用コネクタ１のＡ−Ａ線断面図であり、下図（図８（ａ−２）、図８（ｂ−２））が図３のフラット回路体用コネクタ１のＢ−Ｂ線断面図である。
【００３１】
まず、作業者によってコネクタ本体部１０にフラット回路体５０が挿入開始されると、回路体端部５２が係止部材２０の摺接面２３に摺接されることによって、各被ガイド部２１が各ガイド部１５にガイドされながら回路体端部５２の挿入可能位置まで係止部材２０が上方に移動される。
このとき、係止部材２０は、図８（ａ１）に示すように、回路体端部５２が傾斜された摺接面２３に摺接されることによって受けた荷重をガイド部１５によって上方に移動する力として受け、上方に移動される。ここで、被ガイド部２１は、図８（ａ２）に示すように、各被ガイド部２１の一対の弾性アーム部２２、２２が内側に撓むことによって、第一ガイド傾斜面１６ａａあるいは第二ガイド傾斜面１６ｂｂに弾性力を利用して付勢されている。このため、係止部材２０は、下方に移動する力を受けているものの、この下方に移動する力より大きい上方へ移動する力が、例えば作業者のフラット回路体を挿入する力によって係止部材２０に負荷されている。
【００３２】
その後、回路体端部５２がコネクタ本体部１０内の接続完了位置まで挿入された場合、係止部材２０が上方の挿入可能位置に移動されてから回路体端部５２を係止するように下方に移動され、各係止突起部２４が、図８（ｂ１）に示すように、各係止孔５４に嵌め込まれることによってフラット回路体５０がコネクタ本体部１０内に係止される。
【００３３】
次に、図９を用いて、係止部材２０による係止が解除され、フラット回路体５０がコネクタ本体部１０から外される場合の係止部材２０の動作について説明する。
図９は、係止部材２０による係止が解除され、フラット回路体５０がコネクタ本体部１０から外される場合の係止部材の動作を示した図である。
なお、図９の図中右側の図はフラット回路体およびフラット回路体用コネクタの斜視図であり、右図（図９（ａ）、図９（ｂ））に並んで示した２図のうち上図（図９（ａ−１）、図９（ｂ−１））が図３のフラット回路体用コネクタのＡ−Ａ線断面図であり、下図（図９（ａ−２）、図９（ｂ−２））が図３のフラット回路体用コネクタのＢ−Ｂ線断面図である。
【００３４】
まず、係止部材２０が作業者によって上方に持ち上げられると、図９（ａ１）に示すように、各係止突起部２４が各係止孔からから外れて係止が解除される。この状態においても、係止部材２０が被ガイド部２１を介して下方に移動する力を受けているため、作業者が係止部材２０から手を離すと、係止部材２０は自動で下方に移動されるようになっている。
【００３５】
その後、係止部材２０を上方に持ち上げた状態で、フラット回路体５０をコネクタ本体部１０から引き抜いた後、係止部材２０を手から離すことによって、係止部材２０は、図９（ｂ１）、図９（ｂ２）に示すように、下方に移動され、フラット回路体５０を係止していた所定位置に戻される。
【００３６】
本発明の実施例に係るフラット回路体用コネクタ１は、回路体端部５２がコネクタ本体部１０内に係止部材２０によって係止される場合、コネクタ本体部１０内に組み付けられた状態の係止部材２０が、回路体端部５２の挿入可能位置Ｐに移動されてから回路体端部５２を係止するように自動で下方に移動されるようになっているので、フラット回路体５０をコネクタ本体部１０に挿入した後、係止部材２０をコネクタ本体部１０に取り付ける必要がなく、結果的にフラット回路体５０の接続作業を容易にすることができる。
【００３７】
また、本発明の実施例に係るフラット回路体用コネクタ１は、第一ガイド傾斜面１６ａａ、第二ガイド傾斜面１６ｂｂ、および弾性アーム部２２という簡易な構成で回路体端部５２を係止するように係止部材２０を自動で下方に移動させる力を得ることができる。
【００３８】
また、本発明の実施例に係るフラット回路体用コネクタ１は、係止部材２０の長手方向両端側に設けられた一対の被ガイド部２１、２１と、一対の被ガイド部２１、２１に対応して設けられた一対のガイド部１５、１５とによって係止部材２０が下方に移動されるようにガイドされるので、係止部材２０を安定的に移動させることができる。
【００３９】
また、本発明の実施例に係るフラット回路体用コネクタ１は、係止突起部２４を利用して摺接面２３を設けることができるため、簡易な構成にすることができる。
【実施例２】
【００４０】
次に、図面を参照して、本発明の実施例２に係るフラット回路体用コネクタ２について説明する。
図１０は、発明の実施例２に係るフラット回路体用コネクタ２の上面図である。図１１は、図１０に示したフラット回路体用コネクタ２のＧ−Ｇ線断面図である。図１２は、コネクタ本体部３０の上面図である。図１３は、図１２に示したコネクタ本体部３０のＨ−Ｈ線断面図である。
この変形例２のフラット回路体用コネクタ２は、コネクタ本体部１０に代わってコネクタ本体部３０を有し、コネクタ本体部３０の第一ガイド傾斜面３６ａａと第二ガイド傾斜面３６ｂｂとが上下方向で形成領域が重ならないように上段領域と下段領域との２段に分けて設けられている点で実施例のフラット回路体用コネクタ１と異なる。
なお、その他の構成は実施例と同様であり、実施例と同一構成部分には同一符号を付している。
【００４１】
コネクタ本体部３０の各ガイド部３５は、係止部材２０が係止部材収容部１４内に収容されることによってコネクタ本体部１０に組み付けられた状態で、回路体端部５２がコネクタ本体部３０内に挿入されてからコネクタ本体部３０内に係止されまでの係止部材２０の移動をガイドするガイド面３６を含む。
【００４２】
ガイド面３６は、係止部材２０を間にして上下方向延びる第一ガイド面３６ａおよび第二ガイド面３６ｂを有する。
第一ガイド面３６ａは、下方から上方に向けて鉛直方向に対して上り傾斜状に第一ガイド傾斜面３６ａａが形成されている。
第二ガイド面３６ｂは、下方から上方に向けて鉛直方向に対して上り傾斜状に第二ガイド傾斜面３６ｂｂが形成されている。
【００４３】
なお、第一ガイド傾斜面３６ａａと、第二ガイド傾斜面３６ｂｂとは上下方向で形成領域が重ならないように上段領域と下段領域との２段に分けて設けられている。
より具体的には、第一ガイド面３６ａは、弾性アーム部２２が摺接されながら移動される上下方向の範囲で、上方から下方に向けて第一ガイド傾斜面３６ａａと、第一ガイド傾斜面３６ａａの下端に繋がる第一垂直面３６ｃとが形成されている。一方、第二ガイド面３６ｂは、弾性アーム部２２が摺接されながら移動される上下方向の範囲で、上方から下方に向けて第二垂直面３６ｄと、第二垂直面３６ｄの下端に繋がる第二ガイド傾斜面３６ｂｂとが形成されている。
すなわち、弾性アーム部２２が摺接されながら移動される第一ガイド面３６ａおよび第二ガイド面３６ｂの上下方向の範囲で、第一ガイド傾斜面１６ａａと、第二垂直面３６ｄとが上下方向で形成領域が重なるように設けられ、第二ガイド傾斜面１６ｂｂと、第一垂直面３６ｃとが上下方向で形成領域が重なるように設けられるようになっている。
【００４４】
ここで、図１４−図１６を用いて係止部材２０に作用される力について詳細に説明する。
図１４は、傾斜角度θと、摩擦係数μと、弾性アーム部２２に作用される力Ｆとを直交軸に表したグラフである。図１５は、弾性アーム部２２に作用される力をベクトルで示した図であり、（ａ）がガイド面３６の傾斜角度θが小さい場合を示し、（ｂ）がガイド面３６の傾斜角度θが大きい場合を示している。
図１６は、横軸に係止部材２０の移動距離Ｒ、縦軸に弾性アーム部２２に作用される力Ｆを表したグラフである。
なお、図１６は、破線が上段領域のガイド面３６によって弾性アーム部２２に作用される力を示し、二点鎖線が下段領域のガイド面３６によって弾性アーム部２２に作用される力を示し、実線が上段領域および下段領域のガイド面３６によって弾性アーム部２２に作用される力を合計した力を示したものである。
【００４５】
なお、弾性アーム部２２に作用される力は、弾性アーム部２２に作用される力をＦとし、弾性アーム部２２の撓み荷重をＷとし、第一ガイド傾斜面１６ａａ、あるいは第二ガイド傾斜面１６ｂｂの傾斜角度をθとし、弾性アーム部２２と第一ガイド傾斜面１６ａａ、あるいは第二ガイド傾斜面１６ｂｂとの摩擦係数をμとして以下の計算式によって求められる。
Ｆ＝Ｗ・ｔａｎ（φ−θ）＝Ｗ・（（μ−ｔａｎθ）／（１＋μ・ｔａｎθ））
【００４６】
図１４に示すように、破線で示したマイナス符号の力Ｆは、作業者用によって外部から荷重を負荷しなくても係止部材２０が自動で下方に移動する状態である。この図１４からわかるように、傾斜角度θが大きいと、摩擦係数μが大きい場合でも係止部材２０が自動で下方に移動することができる。
このため、大きい摩擦抵抗が作用される場合においても、係止部材２０が自動で下方に移動するためには、図１５に示すように、ガイド面１６の傾斜角度θを大きくすることが好ましいことがわかる。
【００４７】
しかしながら、実施例１のフラット回路体用コネクタ１のように、第一ガイド傾斜面１６ａａと第二ガイド傾斜面１６ｂｂとが上下方向で形成領域が重なるようになっている場合、第一ガイド傾斜面１６ａａおよび第二ガイド傾斜面１６ｂｂのいずれか一方、あるいは両方の傾斜角度θを大きくすると、各弾性アーム部２２が第一ガイド傾斜面１６ａａあるいは第二ガイド傾斜面１６ｂｂに接触される上下方向での移動距離が短くなってしまう。
【００４８】
そこで、この実施例２のフラット回路体用コネクタ２では、コネクタ本体部３０の第一ガイド傾斜面１６ａａと第二ガイド傾斜面１６ｂｂとが上下方向で形成領域が重ならないように上段領域と下段領域との２段に分けて設けられるようにしている。
この場合、第一ガイド傾斜面１６ａａおよび第二ガイド傾斜面１６ｂｂの両方の傾斜角度θを大きくした場合であっても、すなわち、弾性アーム部２２と第一ガイド傾斜面１６ａａ、あるいは第二ガイド傾斜面１６ｂｂとの間に大きい摩擦力が作用される場合であっても、図１６に示すように、第一ガイド傾斜面１６ａａおよび第二ガイド傾斜面１６ｂｂによって弾性アーム部２２に作用される力を合計した力が係止部材２０の上下方向で移動必要な距離の範囲で係止部材２０が常に自動で下方に移動できるようになっている。
【００４９】
次に、図１７を用いて、フラット回路体５０がコネクタ本体部３０内に挿入されてからコネクタ本体部３０内に係止されるまでの係止部材２０の動作について説明する。
図１７は、フラット回路体５０がコネクタ本体部３０内に挿入されてからコネクタ本体部３０内に係止されるまでの係止部材２０の動作を示した図である。
なお、図１７の図中右側の図はフラット回路体５０およびフラット回路体用コネクタ２の斜視図であり、右図（図１７（ａ）、図１７（ｂ））に並んで示した２図のうち上図（図１７（ａ−１）、図１７（ｂ−１））が図１０のフラット回路体用コネクタ２のＦ−Ｆ線断面図であり、下図（図１７（ａ−２）、図１７（ｂ−２））が図１０のフラット回路体用コネクタ２のＧ−Ｇ線断面図である。
【００５０】
まず、作業者によってコネクタ本体部３０にフラット回路体５０が挿入開始されると、回路体端部５２が係止部材２０の摺接面２３に摺接されることによって、被ガイド部２１がガイド面３６にガイドされながら回路体端部５２の挿入可能位置まで係止部材２０が上方に移動される。
このとき、係止部材２０は、図１７（ａ１）に示すように、回路体端部５２が傾斜された摺接面２３に摺接されことによって受けた荷重をガイド部３５によって上方に移動する力として受け、上方に移動される。ここで、被ガイド部２１は、図１７（ａ２）に示すように、各被ガイド部２１の一対の弾性アーム部２２、２２が内側に撓むことによって、ガイド面３６に弾性力を利用して付勢されている。このため、係止部材２０は、下方に移動する力を受けているものの、この下方に移動する力より大きい上方へ移動する力が、例えば作業者のフラット回路体５０を挿入する力によって係止部材２０に負荷されている。
【００５１】
その後、回路体端部５２がコネクタ本体部３０内の接続完了位置まで挿入された場合、係止部材２０が上方の挿入可能位置に移動されてから回路体端部５２を係止するように下方に移動され、各係止突起部２４が、図１７（ｂ１）に示すように、各係止孔５４に嵌め込まれることによってフラット回路体５０がコネクタ本体部１０内に係止される。
【００５２】
このように、係止部材２０が挿入可能位置から係止完了位置まで移動される際、係止部材２０は、まず、上段領域で大きい傾斜角度になるように設けられた第一傾斜ガイド面１６ａに一方の弾性アーム部２２を摺接させながら下方に移動され、次いで、下段領域で大きい傾斜角度になるように設けられた第二傾斜ガイド面１６ｂに他方の弾性アーム部２２を摺接されながら自動で下方に移動される。
【００５３】
本発明の実施例２に係るフラット回路体用コネクタ２は、実施例１のフラット回路体用コネクタ１と同様の効果を奏するとともに、第一ガイド傾斜面３６ａａの傾斜角度、および第二ガイド傾斜面３６ｂｂの傾斜角度を大きくすることができるので、弾性アーム部２２と第一ガイド傾斜面３６ａａ、あるいは第二ガイド傾斜面３６ｂｂとの間の摩擦抵抗が大きい場合であっても、回路体端部５２の挿入可能位置Ｐに移動されてから回路体端部５２を係止するまで係止部材２０を自動で下方に移動させることができるので、係止部材２０によってフラット回路体５０を確実に係止することができる。
【００５４】
なお、本発明の実施例１および２に係るフラット回路体用コネクタ１、２は、一対のガイド部１５、３５と一対の被ガイド部２１、２１を有するものを例示したが、ガイド部１５、３５および被ガイド部２１の数はこれに限定されない。すなわち、係止部材２０が上方の挿入可能位置Ｐに移動されてから回路体端部５２を係止するように下方に自動で移動されるようになっていれば、ガイド部１５、３５と、被ガイド部２１とが一箇所に設けられるようになっていても構わない。
【００５５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５６】
１、２        フラット回路体用コネクタ
１０、３０    コネクタ本体部
１１          底壁
１２          側壁
１３          後壁
１４          係止部材収容部
１５、３５    ガイド部
１６、３６    ガイド面
１６ａ、３６ａ  第一ガイド面
１６ａａ、３６ａａ  第一ガイド傾斜面
１６ｂ、３６ｂ  第二ガイド面
１６ｂｂ、３６ｂｂ  第二ガイド傾斜面
１７            抜け防止係止部
１８            設置位置規制部
１８ａ          回路体誘導面
２０            係止部材
２１            被ガイド部
２２            弾性アーム部
２２ａ          付勢突起
２３            摺接面
２４            係止突起部
２４ａ          係止面
２５            抜け防止突起
３６ｃ          第一垂直面
３６ｄ          第二垂直面
４０            端子
４２            固定金具
５０            フラット回路体
５１            絶縁性薄膜フィルム
５２            回路体端部
５３            補強板
５４            係止孔
Ｐ              挿入可能位置
【図１】
2015015079.tif 000003
【図２】
2015015079.tif 000004
【図３】
2015015079.tif 000005
【図４】
2015015079.tif 000006
【図５】
2015015079.tif 000007
【図６】
2015015079.tif 000008
【図７】
2015015079.tif 000009
【図８】
2015015079.tif 000010
【図９】
2015015079.tif 000011
【図１０】
2015015079.tif 000012
【図１１】
2015015079.tif 000013
【図１２】
2015015079.tif 000014
【図１３】
2015015079.tif 000015
【図１４】
2015015079.tif 000016
【図１５】
2015015079.tif 000017
【図１６】
2015015079.tif 000018
【図１７】
2015015079.tif 000019